(57)【要約】【課題】安価に製作することができ、筆記具を展示するに適した筆記具ホルダーであって、しかも筆記具がホルダーから脱落し難く、かつホルダーが破損し難く、携帯に適した筆記具ホルダーを提供する。【解決手段】クリップ３を備えた複数の筆記具２を並列に保持する、合成樹脂からなる略板状の筆記具ホルダー１であって、前記筆記具２のクリップ３によって挟持され、複数の筆記具２が並列配置される保持部４と、前記クリップ４の玉部５と係合して、前記保持部４からの筆記具２の脱落を阻止する係止部６と、前記筆記具２の先端部が挿通されるリング状の支持部７と、前記保持部４の上部両側から、筆記具２の上端部を内包するように延設された上部枠１３と、前記上部枠１３の略中間に設けられた凹部１３ａとを少なくとも備えている。【選択図】      図１
2004187918.tif 000002
【特許請求の範囲】
【請求項１】
クリップを備えた複数の筆記具を並列に保持する、合成樹脂からなる略板状の筆記具ホルダーであって、
前記筆記具のクリップによって挟持され、複数の筆記具が並列配置される保持部と、
前記保持部に形成され、前記クリップの玉部と係合して、前記保持部からの筆記具の脱落を阻止する係止部と、
前記保持部の下部あるいは保持部の下部近傍に形成され、筆記具の先端部が挿通される支持部と、
前記保持部の上部両側から筆記具の上端部を内包するように延設された上部枠と、
前記上部枠の略中間に設けられた凹部と
を少なくとも備えることを特徴とする筆記具ホルダー。
【請求項２】
前記上部枠と前記保持部との境界付近にヒンジ部が設けられ、前記上部枠が該ヒンジ部で分離可能に形成されていることを特徴とする請求項１記載の筆記具ホルダー。
【請求項３】
前記保持部の下部両側から筆記具の下端部を内包するように延設された下部枠を備えることを特徴とする請求項１または請求項２記載の筆記具ホルダー。
【発明の詳細な説明】
【０００１】
【発明の属する技術分野】
本発明は筆記具ホルダーに関し、特に筆記具の展示、携帯に好適な筆記具ホルダーに関する。
【０００２】
【従来の技術】
筆記具ホルダーは、主に、筆記具を携帯するために用いられる。この種の筆記具ホルダーとしては、箱型のケース内に筆記具を完全に収めてしまうタイプものと、ケースから筆記具の軸部を一部露出させるタイプものとがある。
前者のホルダーとしては、例えば実公平４‐１５０６１号公報（特許文献１）に示すように、ケース内に軟質樹脂製のリング部材を配置し、これに筆記具の軸部先端を挿通して、筆記具同士の衝突を防止するようにしたものが知られている。
一方、後者のホルダーとしては、例えば実公平６‐１５７２４号公報（特許文献２）に示すように、断面略エ字型のケース内面にリブを設けるとともに、筆記具の軸部に環状溝を設け、両者を係合させて筆記具を収納するものが知られている。
【０００３】
【特許文献１】
実公平４‐１５０６１号公報（第１頁第１欄第２０行乃至同頁第２欄２７行）
【０００４】
【特許文献２】
実公平６‐１５７２４号公報（第１頁第２欄第１４行乃至第２頁第３欄２３行）
【０００５】
【発明が解決しようとする課題】
ところで、筆記具を販売する際、箱状あるいは袋状の展示用ホルダー（ケース）に入れて販売されることがあった。
しかしながら、かかる展示用ホルダー（ケース）は、筆記具の販売を目的に作られるため、ホルダー（ケース）が破損し易く、筆記具を収納して携帯するには適していなかった。
【０００６】
一方、前記したような、携帯用の筆記具ホルダー（筆記具ケース）は、筆記具を収納して携帯する観点から考えられているため、ホルダー（ケース）は破損し難く、筆記具を収納して携帯するのに適している。しかしながら、コストが高いため、これを展示用ホルダー（ケース）として利用した場合、商品の価格が高くなり、筆記具の販売に支障を来たす虞があった。
【０００７】
本発明は、このような事情に鑑みなされたものであり、安価に製作することができ、筆記具を展示するに適した筆記具ホルダーであって、しかも筆記具がホルダーから脱落し難く、かつホルダーが破損し難く、携帯に適した筆記具ホルダーを提供することを目的とするものである。
【０００８】
【課題を解決するための手段】
前記課題を解決するためになされた本発明にかかる筆記具ホルダーは、クリップを備えた複数の筆記具を並列に保持する、合成樹脂からなる略板状の筆記具ホルダーであって、前記筆記具のクリップによって挟持され、複数の筆記具が並列配置される保持部と、前記保持部に形成され、前記クリップの玉部と係合して、前記保持部からの筆記具の脱落を阻止する係止部と、前記保持部の下部あるいは保持部の下部近傍に形成され、筆記具の先端部が挿通される支持部と、前記保持部の上部両側から筆記具の上端部を内包するように延設された上部枠と、前記上部枠の略中間に設けられた凹部とを少なくとも備えることを特徴とする。
【０００９】
このように、クリップを備えた複数の筆記具を並列に保持する、合成樹脂からなる略板状の筆記具ホルダーであるため、安価に製作することができる。
しかも、前記保持部の上部両側から、筆記具の上端部を内包するように上部枠が設けられ、前記上部枠の略中間に凹部が設けられているため、この凹部を展示用フックに掛けることにより、筆記具を容易に展示することができる。
【００１０】
一方、筆記具のクリップで保持部を挟持しながらクリップを押し込むと、クリップの玉部が係止部に係合する。また、筆記具の先端部（下部）は支持部に挿通され、筆記部の下部の揺動が阻止される。
即ち、筆記具の上部は、クリップで保持部を挟持すると共に、クリップの玉部が係止部に係合して固定される。一方、筆記部下部は、支持部と係合して揺動が阻止される。このように、このホルダーに筆記具が装着されるため、筆記具は脱落し難く、このホルダーは携帯用として好適である。
【００１１】
ここで、前記上部枠と前記保持部との境界付近にヒンジ部が設けられ、前記上部枠が該ヒンジ部で分離可能に形成されていることが望ましい。
前記上部枠は展示する際に必要であるが、商品を購入した後にあっては、筆記具の出入れの邪魔になる。そのため、上部枠はヒンジ部で容易に分離できるように形成されている。
【００１２】
また、前記保持部の下部両側から、筆記具の下端部を内包するように延設された下部枠を備えることが望ましい。
このように、下部枠が設けられているため、筆記具の下端部の接触が防止され、ホルダーからの脱落が防止される。
【００１３】
【発明の実施の形態】
以下、本発明にかかる筆記具ホルダーの実施形態を図１乃至図５に基づいて詳細に説明する。尚、図１は、本発明にかかる筆記具ホルダーの一実施形態を示す斜視図であって、図２は、図１を裏側から見た斜視図である。また図３は、図２のＡ−Ａ線断面図であり、図４は、図１のＢ−Ｂ線断面図である。また、図５は、支持部の変形例を示す斜視図である。
【００１４】
図中、符号１は、筆記具ホルダーであって、この筆記具ホルダー１は、合成樹脂材料によって全体形状がほぼ板状に形成され、３本の筆記具２を並列配置して収容できるように構成されている。
この筆記具ホルダー１は、前記筆記具２のクリップ３で挟持され、筆記具２を並列配置する保持部４と、前記クリップ３の玉部５と係合して、前記保持部４からの筆記具２の脱落を阻止する係止孔（係止部）６と、前記筆記具２の先端部が挿通されるリング状の支持部７とを備えている。
【００１５】
前記保持部４の上半部には、筆記具２の軸部形状に倣った湾曲部９が形成されている。この保持部４の上半部に形成された湾曲部９は、図４に示すように筆記具２を収納する際、筆記具２の移動を案内するガイド溝（ガイド部）をして機能する。
また、前記湾曲部９は、筆記具２をホルダー１に収容後にあっては、筆記具２同士が衝突させないための隔離壁としての機能を有する。
【００１６】
また、これら湾曲部９（保持部４の上半部）の裏面側には、図２に示すように、クリップ３の移動を案内し、最終的にクリップ３が係合、収容されるクリップ収容溝８が形成されている。そして、これらクリップ収容溝８の先端部に、前記したクリップ３の玉部５が係合する係止孔６が形成されている。
【００１７】
一方、保持部４の下半部には、矩形状の平面部１０が形成されている。この平面部１０のおもて面は、図１，３に示すように、前記湾曲部９と段差のない平面に形成されている。この平面部１０は筆記具１０の軸部のほぼ中間部分と接する。
【００１８】
また、保持部４の下端部には、前記筆記具の先端部が挿通されるリング状の支持部７が設けられている。
このリング状の支持部７は、筆記具２の先端部を孔７ａに挿通させ、係合させることにより筆記具２の先端部を支持し、筆記具２の揺動を阻止する機能を有している。
【００１９】
また、前記保持部４の両側縁にはフランジ部１１が形成され、このフランジ部１１の上部両側から（保持部４の上部両側から）筆記具２の上端部を内包するように延設された、ほぼＵ字形状の上部枠１３が形成されている。
この上部枠１３と保持部４（フランジ部１１）との境界付近には、屈曲可能な（折曲げ可能な）ヒンジ部１４が形成されている。このヒンジ部１４は肉薄部によって形成されている。
したがって、ヒンジ部１４（肉薄部）を切断することによって、上部枠１３と保持部４（フランジ部１１）とを容易に分離でき、筆記ホルダー１から上部枠１３を取り外すことができる。
また、前記上部枠１３の略中間には、凹部１３ａが設けられている。この凹部１３ａに、展示用フックに掛けることにより、筆記具２を容易に展示することができる。
【００２０】
また前記した上部枠１３と同様に、前記フランジ部１１の下部両側から（保持部４の下部両側から）、筆記具２の下端部を内包するように延設され、ほぼコ字形状の下部枠１２が形成されている。
この下部枠１２は、筆記具２の下端部が何かに接触し、ホルダー１から筆記具２が脱落するのを防止するものである。
即ち、筆記具２の下端部が何かに接触し、筆記具２に押し上げる力が作用すると、筆記具２が上方に移動しホルダー１からの脱落することがある。下部枠１２はかかる脱落を防止するために設けられたものであり、筆記具２の下端部が他のものとの接触するのを防止している。
【００２１】
なお、この筆記具ホルダー１は、前記したように、単一材料（合成樹脂材料）の射出成形によって、全体形状がほぼ板状に形成されるため、安価に製作することができる。また、前記支持部７を筆記具２の軸部軸線に対して傾斜させることで、型抜きを容易にしている。
【００２２】
次に、この筆記具ホルダー１に筆記具２を装着する場合について説明する。
まず、上部枠１３をヒンジ部１４から下方に折曲げ、筆記具２を湾曲部９および平面部１０に載置する。そして、クリップ３をクリップ収容溝８の端縁に係合させながら、下方向に押し込む。
一方、筆記具２の軸部は、湾曲部９に案内されながら移動し、筆記具２の先端部は支持部７の孔７ａを挿通して下部枠１２の付近まで達する。このとき、クリップ３の玉部５が係止孔６に係止されるとともに、クリップ３がクリップ収容溝８に完全に収容される。
このようにして、複数本の筆記具２を筆記具ホルダー１に装着することにより、筆記具２は並列に保持される。
【００２３】
また、筆記具ホルダー１に装着された筆記具２を取り出すには、前記した収納動作とは逆に、筆記具２を上方に引き上げる。即ち、筆記具２を上方に引き上げることにより、クリップ３の玉部５と係止孔６との係合を解き、筆記具２を筆記具ホルダー１から取り出す。
【００２４】
更に、この筆記具ホルダー１は展示と携帯の両方に使用される。即ち、店頭等での展示の際には、上部枠１３の切欠部１３ａを展示用フックに掛けて、吊り下げることができる。また、ヒンジ部１４を切断し、上部枠１３を取り外すことにより、筆記具２の着脱容易な筆記具ホルダー１とすることができ、携帯用として好適に使用できる。
なお、上部枠１３を取り外さない場合であっても、携帯用として十分使用することができる。
【００２５】
以上説明したように、この筆記具ホルダー１にあっては、合成樹脂でほぼ板状に形成されているため、筆記具２の着脱が極めて容易であるにもかかわらず、十分な強度を得ることができ、携帯した場合にも破損することはない。しかも安価に製作することができる。
また、クリップ３で保持部４を挟持すると共に、クリップ３の玉部５を係止部（係止孔）６に係止させて固定し、しかも筆記部２の下部は支持部７と係合して揺動が阻止されるため、前記筆記具２はホルダー１から脱落し難い。
【００２６】
また、筆記具２の先端部は、下部枠１２で保護されているので、落下等の衝撃を受けても、筆記具２が筆記具ホルダーから脱落し難い。
更に、上部枠１３はヒンジ部１４において分離可能に形成されているため、上部枠１３を取り外すことができ、携帯に好適である。
【００２７】
なお、上記実施形態にあっては、リング状の支持部７を保持部４と一体に設けた場合について説明したが、本発明はこれに限定されることなく、例えば、図５に示すようにこれを上下に分割しても良い。
即ち、図５に示すように、上側リング部２０を保持部４と一体に設け、下側リング部２１を上側リング部２０よりも筆記具２の先端側へ移動させて下部枠１２と一体に設けても良い。
このようになすことにより、リング状の支持部７の成形に用いた中子が不要になるため、金型の構造が簡単になり、コストダウンを図ることができる。
【００２８】
また、上記実施形態で示した平面部１０の裏側（筆記具２が接する側と反対面）に、筆記具２に関する広告、宣伝等の文字、絵柄を配置すれば、より宣伝効果が得られる。
また、筆記具ホルダー２を透明または半透明の合成樹脂で形成することにより、筆記具２の全体を視認することができ、筆記具２の宣伝効果を増大させることができる。
【００２９】
【発明の効果】
以上のように、本発明によれば、安価に製作することができ、筆記具を展示するに適した筆記具ホルダーであって、しかも筆記具がホルダーから脱落し難く、かつホルダーが破損し難く、携帯に適した筆記具ホルダーを得ることができる。
【図面の簡単な説明】
【図１】図１は、本発明にかかる筆記具ホルダーの一実施形態を示す斜視図である。
【図２】図２は、図１を裏側から見た斜視図である。
【図３】図３は、図２のＡ−Ａ線断面図である。
【図４】図４は、図１のＢ−Ｂ線断面図である。
【図５】図５は、支持部の変形例を示す斜視図である。
【符号の説明】
１  筆記具ホルダー
２  筆記具
３  クリップ
４  保持部
５  玉部
６  係止孔（係止部）
７  支持部
８  クリップ収容溝
９  湾曲部
１０  平面部
１１  フランジ部
１２  下部枠
１３  上部枠
１４  ヒンジ部
【図１】
2004187918.tif 000003
【図２】
2004187918.tif 000004
【図３】
2004187918.tif 000005
【図４】
2004187918.tif 000006
【図５】
2004187918.tif 000007